(57)【要約】【課題】この発明は、魚の口腔内に棒状体を挿入して回転させ、ハリスを棒状体に巻き付けて釣り針を取りはずす釣り針はずし具において、巻き付け時におけるハリスの滑りやずれを防止して、飲み込まれた釣り針を確実にはずすことができる釣り針はずし具を得ることを課題とするものである。【解決手段】この発明は、魚６の口腔内に挿入される挿入部３と使用者が把持する把持部２とを備え、前記挿入部３は先端側が次第に先細りとなる棒状に形成し、その表面には周方向の環状溝４を軸方向に複数連続して設けて構成する。【選択図】図１
2011254736.tif 000002
【特許請求の範囲】
【請求項１】
魚の口腔内に挿入される挿入部と使用者が把持する把持部とを備え、
前記挿入部は先端側が次第に先細りとなる棒状に形成され、その表面には周方向の環状溝が軸方向に複数連続して設けられた釣り針はずし具。
【請求項２】
挿入部は木材で構成し、環状溝は前記挿入部の基端側から３／４の範囲内に設けるものとした請求項１記載の釣り針はずし具。
【発明の詳細な説明】
【技術分野】
【０００１】
この発明は、魚の口腔内の奥に引っかかった釣り針を容易に取り外すことができる釣り針はずし具に関するものである。
【背景技術】
【０００２】
魚釣りの際、釣り上げた魚が釣り針を飲み込んでしまっていることがよくあるが、飲み込まれた釣り針は魚の口腔内の奥深くで刺さっているため、これを取り外そうとしても、魚の口腔内に指が入らなかったり、外からでは飲み込まれた釣り針の刺さっている位置が見えかったりなどするために、容易に取り外すことができない。強引に釣り針を外そうとすると、魚を損傷してしまったり、ハリスが切れてしまうこともある。
そのため、従来より、釣り上げた魚が飲み込んだ釣り針を容易に取り外すための器具が種々提案されている。
【０００３】
例えば、特開２００５−３０４３５１号公報に記載された発明は、棒状の釣糸巻回部を備えた釣り針はずし具であって、この釣糸巻回部の横断面形状は各コーナー部がアール面取りされた方形状に構成されたものである。
この釣り針はずし具は、釣り針を飲み込んだ魚の口腔内にこの釣り針はずし具の釣糸巻回部を挿入し、これを回転させてハリスを巻き付けるとともに、口腔内に刺さっている釣り針の軸部をこの釣糸巻回部の一辺と交叉させ、さらに回転させることによってコーナー部分を支点とするてこの原理を働かせて刺さった釣り針をはずすものである。
しかしながら、この釣り針はずし具では、魚の口腔内に刺さった釣り針をはずすことができても、はずれた釣り針がむき出し状態となっているので、口腔内から釣糸巻回部を抜き出す際、口腔内の別の場所にむき出しの釣り針が刺さってしまうおそれがある。
また、この釣り針はずし具にはハリスが素抜けすることを防止するための素抜け防止部が設けられているが、釣糸巻回部に巻き付けられた状態のハリスそのものの動きを規制するものではないので、回転時にハリスが滑ってうまく釣糸巻回部に巻き付かなかったり、魚の口腔内から出し入れする際にハリスの巻き付け状態がずれて緩んでしまうおそれもある。
【特許文献１】特開２００５−３０４３５１号公報
【０００４】
特許第３７２９４５８号公報に記載された発明は、先端側がテーパー状に次第に細くなった断面円形状の棒状体を備えた釣り針はずし具であり、この棒状体を魚の口腔内に挿入して回転させてハリスを巻き付け、釣り針のふところ部まで巻き付けた状態でさらに回転させることによって刺さっている釣り針をはずすものである。
この発明によれば、はずれた釣り針のふところ部に棒状体が入り込み、針先が棒状体に突き刺さった状態となるので針先がむき出し状態となることはなく、棒状体を魚の口腔内から取り出す際、口腔内の他の部位に釣り針が突き刺さってしまうことがない。
また、この釣り針はずし具の取っ手部にはハリスを巻き付けるための円弧状の凹部が形成された張り出し体が設けられており、この張り出し体にハリスを巻き付けて作業を行うことによってハリスの素抜けを防止することができる。
しかしながら、棒状体に巻き付けられるハリスそのものの動きは何ら規制されていないので、回転時にハリスが滑ってうまく棒状体に巻き付かなかったり、魚の口腔内から出し入れする際にハリスの巻き付け状態がずれて緩んでしまうおそれがある。
【特許文献２】特許第３７２９４５８号公報
【発明の開示】
【発明が解決しようとする課題】
【０００５】
この発明は、魚の口腔内に棒状体を挿入して回転させ、ハリスを棒状体に巻き付けて釣り針を取りはずす釣り針はずし具において、巻き付け時におけるハリスの滑りやずれを防止して、飲み込まれた釣り針を迅速かつ確実にはずすことができる釣り針はずし具を得ることを課題とするものである。
【課題を解決するための手段】
【０００６】
この発明の釣り針はずし具は、魚の口腔内に挿入される挿入部と使用者が把持する把持部とを備え、前記挿入部は先端側が次第に先細りとなる棒状に形成し、その表面には周方向の環状溝を軸方向に複数連続して設けて構成されている。
前記挿入部は、先端側が次第に先細りとなる棒状に形成されていればよく、断面円形状であっても断面多角形状であってもよい。
前記環状溝は、棒状挿入部の表面に周方向の環状溝として軸方向に複数設けてあればよく、溝の深さ、溝の幅、溝間隔は適宜選択できる。
この釣り針はずし具の素材としては樹脂、金属、木材など種々の素材が考えられるが、挿入部については竹などの木材で構成することが好ましく、木材で構成した場合には、環状溝は挿入部の基端側から３／４の範囲内に設けることが好ましい（請求項２）。
【発明の効果】
【０００７】
この発明によれば、魚の口腔内に挿入される挿入部を先端側が次第に先細りとなる棒状に形成し、その表面に周方向の環状溝を軸方向に複数連続して設けたので、挿入部を魚の口腔内に挿入して回転させてハリスを巻き付ける際、ハリスが挿入部表面に設けられた環状溝に係止されながら挿入部に巻き付けられる。そして、ハリスは環状溝に係止された状態で挿入部に巻き付けられているので、魚の口腔内から取り出す際の巻き付き状態のずれも防止することができる。
したがって、巻き付け時におけるハリスの滑りやずれを防止して、飲み込まれた釣り針を迅速かつ確実にはずすことができる。
【０００８】
請求項２の発明によれば、挿入部を木材で構成したので挿入部表面が滑りにくくなり、巻き付け時におけるハリスの滑りをより防止することができるとともに、魚からはずれた釣り針の針先が挿入部表面に刺さりやすくなる。
また、挿入部を木材で構成した場合には、使用時に折れてしまうおそれがあるところ、環状溝は挿入部の基端側から３／４の範囲内に設けるものとし、径が細く強度が一層弱くなる先端部には設けていないので、巻き付け時におけるハリスの滑りやずれを防止をしつつ、先端部分が折れてしまうことを可及的に防止することができる。
【発明を実施するための最良の形態】
【０００９】
図１は、この発明の釣り針はずし具を示す斜視図である。
竹材で構成された釣り針はずし具１は、平板状の把持部２と、基端側から先端側にかけて次第に先細りとなる断面円形の棒状に形成された挿入部３とを備えている。
この実施例においては、把持部２と挿入部３とを合わせた全長が２５０ｍｍ程度、把持部２と挿入部３の構成比は１：１程度であり、把持部３の厚さは１０ｍｍ程度、挿入部３の径は基端が１０ｍｍ程度、先端が５ｍｍ程度であり、体長１５０ｍｍから３００ｍｍ程度の魚への使用に適したサイズの釣り針はずし具となっている。
【００１０】
挿入部３の表面には、基端側から略３／４の範囲において、周方向の環状溝４を軸方向に複数所定間隔を介して連続して設けてある。
環状溝４の溝幅及び溝深はそれぞれ０．５ｍｍ程度であり、溝間隔は２ｍｍ程度としてある。溝幅及び溝深が０．５ｍｍ程度としたのは、６号サイズのハリス（太さ０．４３８ｍｍ）を使用した際でも、溝にハリスが無理なく嵌り込むように考慮したものである（図２参照）。
【００１１】
次に、この釣り針はずし具１の使用方法を説明する。
釣り針５を飲み込んだ魚６の口腔内に釣り針はずし具１の挿入部３を挿入し、その先端を鰓蓋の隙間６１から突出させる（図３）。
次いで、挿入部３の先端を鰓蓋の隙間６１から突出させた状態で、把持部２を持ちながら挿入部３の軸方向を回転軸として魚６を回転させると、ハリス７が挿入部３に次第に巻き付けられていく（図４）。
このとき、ハリス７の一部は挿入部３の表面に形成された環状溝４に嵌り込みながら巻き付けられるので、ハリス７の滑りを防止しながら挿入部３に巻き付けることができる。また、径が細く形成された挿入部３の先端付近には、横折れを誘発しやすい環状溝を設けないものとしてあるので、竹材を用いた挿入部３の先端付近においても強度を維持でき、横折れを防止することができる。
そして、釣り針５の取り付け位置までハリス７が巻き付けられると、魚６の口腔内に刺さっている釣り針５がハリス７に引っ張られて肉部が引きちぎられ、釣り針５がはずれる（図５）。
釣り針５は、はずれた拍子にふところ部５１が棒状の挿入部３に嵌り込むとともに、針先５２が挿入部３の表面に突き刺さって固定され、そのままの状態で挿入部３を魚６の口腔内から抜き出すことができる（図６）。
このとき、釣り針５の針先５２は挿入部３に刺さって固定されていてむき出しになることはないので、釣り針５が魚３の口腔内の他の部分に刺さってしまうおそれがない。
また、挿入部３の表面に巻き付けられたハリス７の一部は挿入部３の表面に形成された環状溝４に嵌り込んで固定されているので、挿入部３を魚６の口腔内から取り出す際、魚の粘液などによってハリス７が滑って挿入部３表面への巻き付けが緩んでしまうことも防止できる。
【産業上の利用可能性】
【００１２】
この発明は、魚の口腔内の奥に引っかかった釣り針を容易に取り外すことができる釣り針はずし具に関するものであり、産業上の利用可能性を有するものである。
【図面の簡単な説明】
【００１３】
【図１】この発明の釣り針はずし具の斜視図
【図２】同じく挿入部の拡大縦断面図
【図３】同じく釣り針を飲み込んだ魚の口腔内に挿入した状態を示す図
【図４】同じく釣り針を取り外す方法を示す図
【図５】同じく釣り針がはずれて挿入部に固定された状態を示す図
【図６】同じく魚の口腔内から抜き出した状態を示す図
【符号の説明】
【００１４】
１    釣り針はずし具
２    把持部
３    挿入部
４    環状溝
５    釣り針
５１  ふところ部
５２  針先
６    魚
７    ハリス
【図１】
2011254736.tif 000003
【図２】
2011254736.tif 000004
【図３】
2011254736.tif 000005
【図４】
2011254736.tif 000006
【図５】
2011254736.tif 000007
【図６】
2011254736.tif 000008